(57)【要約】【課題】利用者が携帯電話機等の操作により外出先において容易に利用できるホームセキュリティシステムを提供する。【解決手段】コントロールユニット１１０は、センサーユニット１３１等とＬＡＮ接続されかつＷｅｂサーバ機能やメール送信機能を備え、センサーユニット等により異常状態の発生が検出されると、自装置上のＣＧＩプログラム等にアクセスするためのグローバルＩＰアドレスを含むＵＲＬと異常発生の旨とを内容に含めた電子メールを利用者のメールアドレスに宛てて送信する。このＣＧＩプログラム等は、家屋内外の機器を制御するユーザインタフェース画面等を構築するものである。利用者が携帯電話機等のブラウザを操作してそのＵＲＬの指すＣＧＩプログラム等にアクセスし、コマンドを指定すると、そのＣＧＩプログラムはコマンドに応じて家屋内外の機器の制御処理を実行する。【選択図】　図１
2004128821.tif 000002
【特許請求の範囲】
【請求項１】
センサーを含む複数の機器と、各機器にローカルエリアネットワークで接続された制御装置とを含むホームセキュリティシステムであって、
前記制御装置は、
所定のメールアドレスを記憶しているアドレス記憶手段と、
センサーを用いて異常状態の発生を検出する異常検出手段と、
前記異常検出手段により異常状態の発生が検出された場合に、前記制御装置に割り当てられたグローバルＩＰアドレスの記述を含むメール文書を、前記メールアドレス宛に送信する異常通知手段と、
前記グローバルＩＰアドレスに基づいて当該制御装置にアクセスがなされた場合に、前記機器の制御用のユーザインタフェース画面を表示するためのＨＴＭＬスクリプトを、アクセス元に送信し、アクセス元から機器制御のための指示を受け付けるユーザインタフェース手段と、
機器制御のための前記指示が受け付けられた場合に、当該指示に従って前記機器のいずれかに制御用の信号を伝達する機器制御手段とを備える
ことを特徴とするホームセキュリティシステム。
【請求項２】
前記異常通知手段は、異常状態の発生が検出された場合に、インターネット接続サービスプロバイダのアクセスポイントに回線接続してダイヤルアップ接続サービスを受け、ダイヤルアップ接続サービスによって当該制御装置に割り当てられたグローバルＩＰアドレスの記述を前記メール文書に含め、
前記制御装置は更に、
前記異常通知手段によるメール文書の送信の時から所定時間経過後に回線切断する切断手段を備える
ことを特徴とする請求項１記載のホームセキュリティシステム。
【請求項３】
前記制御切断手段は、更に待機時間の指定を受け付けて保持する待機時間保持手段を備え、
前記切断手段は、保持している待機時間を前記所定時間と扱い、メール文書の送信の時から当該待機時間の経過後に回線切断を行う
ことを特徴とする請求項２記載のホームセキュリティシステム。
【請求項４】
前記制御装置は更に、
利用者によって予め指定された時刻が到来すると、インターネット接続サービスプロバイダのアクセスポイントに回線接続を行ってダイヤルアップ接続サービスを受け、ダイヤルアップ接続サービスによって当該制御装置に割り当てられたグローバルＩＰアドレスの記述を含むメール文書を、前記メールアドレス宛に送信する通知手段を備える
ことを特徴とする請求項２記載のホームセキュリティシステム。
【請求項５】
前記ユーザインタフェース手段は、アクセス元から受け取った機器制御のための指示を示すデータを、所定のＣＧＩプログラムに引き渡し、
前記機器制御手段は、前記ＣＧＩプログラムの実行により、前記指示を示すデータに応じて前記機器のいずれかに制御用の信号の伝達を行う
ことを特徴とする請求項２記載のホームセキュリティシステム。
【請求項６】
前記ユーザインタフェース手段は更に、前記アクセス元から回線切断の指示がなされた場合には当該回線切断の指示を受け付け、
前記切断手段は更に、前記回線切断の指示が受け付けられた場合にも回線切断を行う
ことを特徴とする請求項２記載のホームセキュリティシステム。
【請求項７】
前記異常通知手段は、前記回線接続の後、ダイヤルアップ接続サービスによって当該制御装置に割り当てられたグローバルＩＰアドレスを、インターネットに接続された外部のウェブサーバ装置に照会して取得し、取得したグローバルＩＰアドレスの記述を前記メール文書に含める
ことを特徴とする請求項２記載のホームセキュリティシステム。
【発明の詳細な説明】
【０００１】
【発明の属する技術分野】
本発明は、家屋内外の状態を監視し家屋内外の機器の遠隔制御を可能にするホームセキュリティシステムに関する。
【０００２】
【従来の技術】
従来、温度センサー、照度センサー、人体センサー等を用いて家屋内及び周辺の状態を監視し、異常を検出すると、電話回線を介して異常事態発生を示す信号を特定の警備会社のコントロールセンターに送信するホームセキュリティシステムが実用化されている。
【０００３】
ここで、人体センサーは、赤外線エネルギー量の変化、送出した超音波の反射状況等を測定して、例えば家屋への侵入者を検知するためのセンサーである。また、このコントロールセンターは、異常事態発生の信号を受信すると、異常事態の発生した家屋に警備員を急行させる等のサービスを行う。
また、警備会社によらずとも、利用者が外出中に自らの家屋に異常が起きたことを知り、その状況を把握することのできるホームセキュリティシステムが、特許文献１に示されている。このホームセキュリティシステムは、家屋内に監視カメラを設置しておき、家屋内で異常事態が発生した場合に、利用者の携帯電話機に異常事態発生の旨や監視カメラにより撮像された画像データを送信するものである。
【０００４】
【特許文献１】
特開２００１−２４５０６９号公報
【０００５】
【発明が解決しようとする課題】
ところで、近年、ブラウザを搭載しインターネットを利用できる携帯電話機も普及しつつあり、パーソナルコンピュータ（ＰＣ）のみならず携帯電話機によっても、様々なウェブ（Ｗｅｂ）ページを閲覧及び操作することが可能になっている。
【０００６】
このような状況に鑑み、本発明は、従来よりも利用者が容易に利用できるホームセキュリティシステムを提供すべくなされたものであり、携帯電話機やＰＣの利用者が操作方法に慣れ親しんでいるブラウザを利用して、異常事態に対処するために外出先から家屋内外の機器を制御することができるホームセキュリティシステムを提供することを目的とする。
【０００７】
また、本発明は、更に、家屋内外の機器を制御するために家屋内に設置されるコントロールユニット又はルーターが固定的なグローバルＩＰ（インターネットプロトコル）アドレスを有しない場合であっても、外出先からそのコントロールユニットにインターネット経由でアクセスして、ブラウザの操作により家屋内外の機器を制御することができるホームセキュリティシステムを提供することを目的とする。
【０００８】
【課題を解決するための手段】
上記目的を達成するために、本発明に係るホームセキュリティシステムは、センサーを含む複数の機器と、各機器にローカルエリアネットワークで接続された制御装置とを含むホームセキュリティシステムであって、前記制御装置は、所定のメールアドレスを記憶しているアドレス記憶手段と、センサーを用いて異常状態の発生を検出する異常検出手段と、前記異常検出手段により異常状態の発生が検出された場合に、前記制御装置に割り当てられたグローバルＩＰアドレスの記述を含むメール文書を、前記メールアドレス宛に送信する異常通知手段と、前記グローバルＩＰアドレスに基づいて当該制御装置にアクセスがなされた場合に、前記機器の制御用のユーザインタフェース画面を表示するためのＨＴＭＬスクリプトを、アクセス元に送信し、アクセス元から機器制御のための指示を受け付けるユーザインタフェース手段と、機器制御のための前記指示が受け付けられた場合に、当該指示に従って前記機器のいずれかに制御用の信号を伝達する機器制御手段とを備えることを特徴とする。
【０００９】
上記構成により、異常状態の発生が検出された場合に、制御装置へインターネットを通じてアクセスするために必要なグローバルＩＰアドレスの記述が含められたメール文書が送信され、利用者の携帯電話機等において受信可能となり、利用者はそのグローバルＩＰアドレスを含むＵＲＬの記述等に基づいて、携帯電話機等のブラウザを介して容易に制御装置内のＣＧＩプログラム等にアクセスし、制御装置とローカルエリアネットワーク（ＬＡＮ）で接続された各種機器の遠隔制御を行うことができるようになる。なお、この制御装置は、例えば、コントロールユニット及びルーターで構成される装置、或いはコントロールユニット単体等である。
【００１０】
また、前記異常通知手段は、異常状態の発生が検出された場合に、インターネット接続サービスプロバイダのアクセスポイントに回線接続してダイヤルアップ接続サービスを受け、ダイヤルアップ接続サービスによって当該制御装置に割り当てられたグローバルＩＰアドレスの記述を前記メール文書に含め、前記制御装置は更に、前記異常通知手段によるメール文書の送信の時から所定時間経過後に回線切断する切断手段を備えることとしてもよい。
【００１１】
上記構成により、制御装置に固定的にグローバルＩＰアドレスが割り当てられていなくても、ダイヤルアップ接続している間においてメール文書を受けた者はメール文書内容に基づいてインターネットを経由して制御装置にアクセスすることができるようになるため、制御装置とＬＡＮで接続された家屋内外の機器を外出先から制御可能になる。
【００１２】
【発明の実施の形態】
以下、本発明の実施の形態に係るホームセキュリティシステムについて図１〜図１０を用いて説明する。
＜１．構成＞
図１は、本発明の実施の形態に係るホームセキュリティシステム１０の構成図である。
【００１３】
ホームセキュリティシステム１０は、家屋内外におけるセキュリティを確保するために火災、不法侵入等の異常事態発生の報知や、異常事態に対応するための機器制御を行うシステムであり、図１に示すように、家屋内又は家屋周辺に設置される機器群から構成されるホームシステム１００と、インターネット２００と、家屋外に存在する外部端末２１０或いは携帯電話機２２０とから構成される。
【００１４】
ホームシステム１００は、コントロールユニット１１０と、ルーター１２１と、モデム１２２と、センサーユニット１３１、１３２等と、リモコン操作端末１３５と、カメラ１３８、１３９と、照明・家電機器１４０とを含む。なお、センサーユニット、リモコン操作端末、カメラ、照明・家電機器等については、ホームシステムを適用する家屋の規模等に合わせ自由に取捨選択されることを想定している。
【００１５】
ここで、コントロールユニット１１０は、メモリ及びＣＰＵを内蔵したサーバコンピュータであり、メモリに格納された制御プログラムをＣＰＵが実行することにより、センサーユニットやカメラを含む家屋内外の機器を制御し更にデータを授受しデータ解析により異常事態の発生を検知する機能、Ｗｅｂサーバ機能、簡易メール転送プロトコル（ＳＭＴＰ）に従ったメールの送信機能、外部からの機器制御用コマンド受付機能等を実現する装置である。なお、メールとは、いわゆる電子メールをいう。
【００１６】
ルーター１２１は、コントロールユニット１１０と他の家屋内外の機器をＬＡＮ接続するための装置であり、ホームセキュリティシステム１０においては、ルーター１２１としてスイッチングハブやダイヤルアップルーターが用いられる場合も想定している。このルーター１２１は、ネットワークアドレス変換（ＮＡＴ）又はＩＰマスカレード機能を有し、コントロールユニット１１０のプライベートＩＰアドレスを、割り当てられたグローバルＩＰアドレスに変換する。
【００１７】
モデム１２２は、コントロールユニット１１０がアナログ回線を介してホームシステムの外部のコンピュータ等と通信するために用いられる変復調装置であり、家屋から外部への通信路がＩＳＤＮ等のデジタル回線である場合には、このモデムの代わりにターミナルアダプタ（ＴＡ）が用いられる。
センサーユニット１３１、１３２等は、それぞれ温度センサー、照度センサー、人体センサー、窓の開閉を検知するセンサー、玄関や門の呼出ボタン押下を検知する等のセンサー機能を有する装置であり、天井その他、検知内容に応じた場所に設置される。温度センサーならば計測した現在の周辺温度等をセンサー状態として出力し、照度センサーならば計測した現在の周辺照度等をセンサー状態として出力し、人体センサーならば例えば赤外線エネルギー量の変化等により人の気配を検出したか否かをセンサー状態として出力する。
【００１８】
なお、センサーユニットの中には、赤外線リモコン信号を発して、照明・家電機器１４０を制御する機能を有するものもある。
リモコン操作端末１３５は、無線ＬＡＮによりルーター１２１と接続されるコンピュータであり、後述するコントロールユニット１１０内のコマンド対応部１１６に対して、コマンドを送信することによって、コントロールユニット１１０、ＬＡＮ、赤外線リモコン信号を発するセンサーユニット等を介して、照明・家電機器をリモートコントロールする機能を有する。
【００１９】
カメラ１３８、１３９は、いわゆるビデオカメラであり、ＬＡＮ又は無線ＬＡＮによりルーター１２１と接続されており、撮影で得られた画像が時間的に変化したか否かを判定し、その結果をセンサー状態として出力する機能を有する。カメラ１３８、１３９は、リビングルーム等の家屋内に設置されることや、玄関付近や車庫等の家屋外に設置されることが想定される。
【００２０】
照明・家電機器１４０は、家屋内外に設置される照明器具、テレビ、エアコン等の各種機器であり、赤外線リモコン信号により制御され得る。
また、インターネット２００は、多数のウェブ（Ｗｅｂ）サーバやメールサーバが接続されてなるネットワークであり、このインターネット２００を介してグローバルＩＰアドレスを有する機器間でのデータ通信が可能となる。なお、ホームセキュリティシステム１０においてコントロールユニット１１０に対し、コントロールユニット１１０にアクセスするためのグローバルＩＰアドレスを通知するサービスを提供する外部の特定のＷｅｂサーバ（以下、「外部Ｗｅｂサーバ」という。）もインターネット２００に接続されている。
【００２１】
外部端末２１０及び携帯電話機２２０は、インターネット２００上のＷｅｂページを閲覧及び操作することのできるブラウザを有しており、ホームセキュリティシステム１０の利用者に外出先等において利用される。
＜２．コントロールユニットの機能及び利用データ＞
以下、コントロールユニット１１０の機能及びコントロールユニット１１０において利用されるデータについて、図２及び図３を用いて説明する。
【００２２】
図２は、コントロールユニット１１０の機能構成図である。
コントロールユニット１１０は、機能面においては同図に示すように、制御情報記憶部１１１、入出力部１１２、グローバルＩＰ取得部１１３、異常通知部１１４、センサー・機器制御部１１５及びコマンド対応部１１６を有する。これらの各機能部は、ハードウェア面においては、ＣＰＵ、記憶装置、ＬＡＮ接続インタフェース等により実現される。
【００２３】
ここで、制御情報記憶部１１１はメモリ、ハードディスクその他の記憶装置の一領域である。
入出力部１１２は、ルーター１２１を介して、ＬＡＮ接続されたセンサーユニット、家屋内外の各種機器、インターネット接続された外部のサーバや外部の端末及び携帯電話機等とデータ通信を行うための通信インタフェースである。
【００２４】
グローバルＩＰ取得部１１３は、ルーター１２１が固定的にグローバルＩＰアドレスを割り当てられていない場合に、入出力部１１２を介して外部Ｗｅｂサーバに問い合わせて、その時においてルーター１２１に割り当てられているグローバルＩＰアドレスを取得する機能を有する。
異常通知部１１４は、異常状態の発生が検出された場合において、予め記憶されている利用者のメールアドレスに対して入出力部１１２を介してメールを送信する機能を有する。なお、このメールの内容には、異常状態を示す情報と、コントロールユニット１１０にアクセスするためのグローバルＩＰアドレスつまりルーター１２１に割り当てられているグローバルＩＰアドレスとが含まれる。
【００２５】
センサー・機器制御部１１５は、入出力部１１２及びＬＡＮを介して、各センサーユニット及び各機器を制御する機能や、センサーユニット等から検出されたデータを取得して、そのデータ及び予め記憶している異常判定の条件に基づき、異常状態が発生しているか否を判定する機能を有する。
また、コマンド対応部１１６は、ハイパーテキスト転送プロトコル（ＨＴＴＰ）に従って入出力部１１２を介してデータ通信を行うＷｅｂサーバ機能を有しており、ファイルシステム上のＷｅｂサーバにおけるいわゆるドキュメントルートその他の場所に共通ゲートウェイインタフェース（ＣＧＩ）プログラム或いはハイパーテキストマークアップ言語（ＨＴＭＬ）文書を格納し、インターネット２００を通じて外部からアクセスがあった場合に、ＣＧＩプログラムを実行して、外部から送られるコマンド等を取得してそのコマンド等に応じてセンサー・機器制御部１１５を介してセンサーユニットや家屋内外の機器を制御する。なお、Ｗｅｂサーバ機能については、独自のプログラムにより実装してもよいし、現在流通している又は販売されているＷｅｂサーバのプログラムを利用して実装することとしてもよい。また、予め定められた複数のコマンドそれぞれに対応する制御用のプログラムルーチンの実行により、各機器を制御する技術については、従来の一般技術であるためここでは説明を省略する。
【００２６】
図３は、制御情報記憶部１１１に格納される主要な情報を示す図である。
同図に示すように、制御情報記憶部１１１には、コントロールユニット情報３０１、センサー・機器情報３０２、異常フラグ３０３、異常通知先メールアドレス３０４、接続情報３０５、外部Ｗｅｂサーバアドレス３０６等が格納される。ここで、コントロールユニット情報３０１は、例えばコントロールユニットのＩＤや、外部Ｗｅｂサーバから取得したユーザＩＤ等、外部Ｗｅｂサーバを利用する権限を有するか否かの識別に利用される情報であり、この情報は、例えば外部Ｗｅｂサーバにアクセスして利用契約をして外部Ｗｅｂサーバから取得し保持される。
【００２７】
センサー・機器情報３０２は、センサーユニット１３１等やカメラ１３８等のそれぞれについて、ローカルのＩＰアドレス、リビングルームや玄関といった設置場所の別を示す情報、温度センサーや人体センサーといったセンサーの種別情報、センサーユニットにより測定された温度等の値が異常状態であるか否かを判定するための閾値を示す異常判定条件情報、センサーユニットやカメラを制御するための制御プログラム等で構成される情報であり、予め定められており、変更可能な内容については利用者が設定できるようになっている。
【００２８】
異常フラグ３０３は、センサーユニットやカメラ等で検出された状態が異常状態であると判定された場合においてオン状態に設定されるフラグである。例えば、人体センサーにより人の気配が検出された場合にオン状態にされる侵入者フラグ、照度センサーにより検出された明るさが、暗い状態から明るい状態へ変化したものであると判定された場合にオン状態にされる照度変化フラグ、温度センサーにより一定温度以上の温度が検出された場合にオン状態にされる高温フラグ、玄関又は門の呼出ボタンが押下された場合にオン状態にされる呼出ボタンオン（ＯＮ）フラグ、カメラにより撮像された画像に変化があると判定された場合にオン状態にされるモーションフラグ、窓が開けられたと判定された場合にオン状態にされる窓開きフラグ等がある。
【００２９】
異常通知先メールアドレス３０４は、異常状態の発生が検出されたときに送信するメールの宛先となるメールアドレスであり、利用者が設定できるようになっている。例えば、メールサーバを介して利用者の携帯電話機でメール受信ができるところのメールアドレスが設定されることが想定される。
接続情報３０５は、インターネットへの接続に関する情報であり、いわゆる常時接続か、常時接続ではない定額制の高速接続サービス全般にあたるフレッツ接続か、その他の定額制でないダイヤルアップ接続サービスであるかを示す接続種別と、固定的にグローバルＩＰアドレスが割り当てられているか否かを示すグローバルＩＰアドレス区分と、グローバルＩＰアドレスとから構成される。これらは利用者が設定できるが、グローバルＩＰアドレスが固定的に割り当てられていない場合においては、コントロールユニット１１０が外部Ｗｅｂサーバから取得してグローバルＩＰアドレスを制御情報記憶部１１１に格納する。
【００３０】
外部Ｗｅｂサーバアドレス３０６は、外部ＷｅｂサーバのグローバルＩＰアドレスであり、利用者が設定できる。
また、モード情報３０７は、留守モードと在宅モードとの別を示す情報である。留守モードは利用者が外出する場合に設定し、在宅モードは、利用者が帰宅した場合等、在宅中に設定することが想定される。なお、コントロールユニット１１０は、例えばスイッチ等により留守モード及び在宅モードのいずれかのモードの指定を利用者から受け付けて、受け付けたモードをモード情報３０７として保存する機能を有する。
＜３．動作＞
以下、上述の構成を備えるホームセキュリティシステムの動作について図４を用いて説明する。
【００３１】
図４は、コントロールユニット１１０の基本的動作を示すフローチャートである。
コントロールユニット１１０のセンサー・機器制御部１１５は、制御情報記憶部１１１に記憶されているモード情報を参照して、留守モードであるか否かを判定し（ステップＳ１１）、留守モードであれば、後述する留守モード処理を行い（ステップＳ１６）、在宅モードであれば後述するセンサー状態取得処理を行う（ステップＳ１２）。
【００３２】
続いて、侵入者があるか否か、即ちセンサー状態取得処理の結果として侵入者フラグがオン状態になっているか否かを判定し（ステップＳ１３）、侵入者がある場合にはその人の気配ありと判定したセンサーユニットの設置場所の情報に基づき、その場所に設置されている照度センサーから照度を得て、得た照度が所定照度より暗いことを示す場合には（ステップＳ１４）、その場所に設置されている赤外線リモコン信号を発するセンサーユニットを制御して、照明器具を照明オン状態に変化させるための赤外線リモコン信号を出力させ、３０秒後には照明オフ状態に変化させるための赤外線リモコン信号を出力させる（ステップＳ１５）。
【００３３】
なお、制御情報記憶部１１１には、各センサーユニットの設置場所が記憶されているため、センサー・機器制御部１１５は、どのセンサーユニットが同じ部屋等の場所に設置されているか否かを判断することができる。
この図４では、在宅モードにおける異常状態の発生時の対応処理として、侵入者の検出された部屋の照明を３０秒間オン状態にする例を示したが、運用方法はこれに限られることはない。即ち、センサー状態取得処理の結果として制御情報記憶部１１１に設定される各種の異常フラグを判定することにより、異常状態に応じて様々な処理を行わせるようにプログラミングしておくことができる。
【００３４】
＜３−１．センサー状態取得処理＞
以下、コントロールユニット１１０が行うセンサー状態取得処理について図５を用いて説明する。
図５は、コントロールユニット１１０が行うセンサー状態取得処理を示すフローチャートである。
【００３５】
コントロールユニット１１０のセンサー・機器制御部１１５は、制御情報記憶部１１１内のセンサー・機器情報を参照してＩＰアドレス等を得て、ＬＡＮを介してまず人体センサーからセンサー状態を取得し、センサー状態が人の気配を検出したことを示す場合には（ステップＳ２１）、その人体センサーの設置場所と人の気配ありの旨とを示すメッセージを生成し、そのメッセージと現在時刻とをメモリ、ハードディスク等に保存し、侵入者フラグをオン状態に設定する（ステップＳ２２）。
【００３６】
続いて、センサー・機器制御部１１５は、照度センサーからセンサー状態を取得し、センサー状態が異常判定条件として予め定められている設定値より高い照度を示しておりかつ、前回のセンサー状態が１０ルクス未満という低い照度を示していた場合には（ステップＳ２３）、その照度センサーの設置場所と突然明るい旨とを示すメッセージを生成し、そのメッセージと現在時刻とをメモリ等に保存し、照度変化フラグをオン状態に設定する（ステップＳ２４）。また、センサー・機器制御部１１５は、照度センサーによりセンサー状態として示された照度の値も、次回のステップＳ２３による比較のためにメモリ等に保存する。
【００３７】
続いて、センサー・機器制御部１１５は、温度センサーからセンサー状態を取得し、センサー状態が異常判定条件として予め定められている設定値より高い温度を示している場合には（ステップＳ２５）、その温度センサーの設置場所と高温の旨とを示すメッセージを生成し、そのメッセージと現在時刻とをメモリ等に保存し、高温フラグをオン状態に設定する（ステップＳ２６）。
【００３８】
続いて、センサー・機器制御部１１５は、呼出ボタンが押されたことを検知するセンサーから、センサー状態を取得し、呼出ボタンが押されたことを示している場合には（ステップＳ２７）、そのセンサーの設置場所と呼出ボタンＯＮの旨とを示すメッセージを生成し、そのメッセージと現在時刻とをメモリ等に保存し、呼出ボタンＯＮフラグをオン状態に設定する（ステップＳ２８）。
【００３９】
続いて、センサー・機器制御部１１５は、カメラ１３８等から、画像が変化したか否かを示す情報を取得し、画像が変化している場合には（ステップＳ２９）、そのカメラの設置場所と画像変化ありの旨とを示すメッセージを生成し、そのメッセージと現在時刻とをメモリ等に保存し、モーションフラグをオン状態に設定する（ステップＳ３０）。
【００４０】
センサー状態取得処理として最後に、センサー・機器制御部１１５は、窓の開閉を検知するセンサーから、センサー状態を取得し、窓が開けられたことが示されている場合には（ステップＳ３１）、その窓の場所と窓が開いたこととを示すメッセージを生成し、そのメッセージと現在時刻とをメモリ等に保存し、窓開きフラグをオン状態に設定する（ステップＳ３２）。
【００４１】
なお、メモリ等に保存されたメッセージは、後述する異常発生通知処理において異常発生を通知するためのメール文書に組み込まれることになる。
＜３−２．留守モード処理＞
以下、コントロールユニット１１０が行う留守モード処理について図６を用いて説明する。
【００４２】
図６は、コントロールユニット１１０が行う留守モード処理を示すフローチャートである。
まず、コントロールユニット１１０におけるセンサー・機器制御部１１５は、制御情報記憶部１１１内の接続情報を参照し、常時接続と設定されているか否かを判定する（ステップＳ４１）。
【００４３】
常時接続である場合には、グローバルＩＰアドレスが固定的に割り当てられていると設定されているか否かを判定する（ステップＳ４２）。
ステップＳ４２において、グローバルＩＰアドレスが固定的に割り当てられていると判定された場合には、センサー・機器制御部１１５は、前述したセンサー状態取得処理を行い（ステップＳ４３）、侵入者フラグ、照度変化フラグ等の異常フラグを参照して異常があったか否かを判定し（ステップＳ４４）、異常があった場合に限り、異常をメールにより伝達する異常発生通知処理を異常通知部１１４に行わせ（ステップＳ４５）、留守モード処理を終了する。但し、図４で示したように留守モードである限り、この留守モード処理は繰り返し実行される。なお、異常発生通知処理については後に詳しく説明する。
【００４４】
また、ステップＳ４２において、グローバルＩＰアドレスが固定的に割り当てられていないと判定された場合には、センサー・機器制御部１１５は、コントロールユニット１１０にアクセスするためのグローバルＩＰアドレスを取得する自グローバルＩＰ取得処理をグローバルＩＰ取得部１１３に行わせてから（ステップＳ４６）、センサー状態取得処理に移る（ステップＳ４３）。
【００４５】
なお、ステップＳ４６の自グローバルＩＰ取得処理は、例えばインターネットサービスプロバイダに回線を切断されないようにする等のため、３分間毎に繰り返し実行されるように制御される。この自グローバルＩＰ取得処理については後に詳しく説明する。
ステップＳ４１において、常時接続でないと判定した場合には、センサー・機器制御部１１５は、フレッツ接続と設定されているか否かを判定し（ステップＳ４７）、フレッツ接続である場合には、ルーター（ダイヤルアップルータ）１２１及びモデム１２２を介してＰＰＰｏＥ（ポイントトゥポイントプロトコル・オーバー・イーサネット（登録商標））により回線接続を行い（ステップＳ４８）、３分毎の自グローバルＩＰ取得処理をグローバルＩＰ取得部１１３に行わせ（ステップＳ４６）、センサー状態取得処理に移る（ステップＳ４３）。
【００４６】
ステップＳ４７において、フレッツ接続でないと判定した場合には、センサー・機器制御部１１５は、センサー状態取得処理を行い（ステップＳ４９）、異常状態が発生しているか判定し（ステップＳ５０）、異常状態が発生している場合には、ルーター（ダイヤルアップルータ）１２１及びモデム１２２を介してポイントトゥポイントプロトコル（ＰＰＰ）により電話回線接続を行い（ステップＳ５１）、グローバルＩＰ取得部１１３に自グローバルＩＰ取得処理を行わせ（ステップＳ５２）、異常通知部１１４に異常発生通知処理を行わせる（ステップＳ５３）。なお、ステップＳ５１における電話回線接続は、予めコントロールユニット１１０に対して利用者等によって設定されているインターネット接続サービスプロバイダ（ＩＳＰ）の最寄りのアクセスポイントに対して行われ、これによりダイヤルアップ接続サービスを受けることになる。ここで、一般にダイアルアップ接続サービスにおいては、グローバルＩＰアドレスの割り当てが行われる。
【００４７】
ステップＳ５３の異常発生通知処理の後、センサー・機器制御部１１５は、３分経過したか否かを判定し（ステップＳ５４）、３分経過した時点で電話回線切断を行い（ステップＳ５５）、留守モード処理を終了する。
また、ステップＳ５０において異常状態が発生していない場合には、センサー・機器制御部１１５は、ステップＳ５１〜Ｓ５５の処理をスキップし、留守モード処理を終了する。
【００４８】
＜３−３．異常発生通知処理＞
以下、コントロールユニット１１０が行う異常発生通知処理について図７を用いて説明する。
図７は、コントロールユニット１１０が行う異常発生通知処理を示すフローチャートである。
【００４９】
この異常発生通知処理は、基本的には、異常状態の発生をメールにより利用者に通知することを内容とする処理であり、異常通知部１１４はそのメール送信の度に送信時刻をメモリ等に記録している。
そこで、まずコントロールユニット１１０における異常通知部１１４は、前回の送信時刻を取得し（ステップＳ６１）、前回の送信から現在まで１分以上経過したか否かを判定する（ステップＳ６２）。
【００５０】
ステップＳ６２において１分以上経過したと判定した場合には、異常通知部１１４は、予め固定的に記憶されている或いは既に自グローバルＩＰ取得処理により取得されているところのグローバルＩＰアドレスを用いて、機器制御のために外部からアクセスされるべきＨＴＭＬ文書又はＣＧＩプログラムの所在を示すユニバーサルリソースロケータ（ＵＲＬ）の記述を作成し（ステップＳ６３）、そのＵＲＬと、センサー状態取得処理においてメモリ等に保存された異常発生場所と異常状態発生の旨を示すメッセージとを含ませたメッセージ即ちメール文書内容を作成する（ステップＳ６４）。
【００５１】
例えば、機器制御のために外部からアクセスされるべきＣＧＩプログラムが○○．ｃｇｉであり、グローバルＩＰアドレスが、ｘｘｘ．ｘｘｘ．ｘｘｘ．ｘｘｘであれば、ステップＳ６３で異常通知部１１４は、プロトコル名称等を付加して、ＵＲＬをｈｔｔｐ：／／ｘｘｘ．ｘｘｘ．ｘｘｘ．ｘｘｘ／○○．ｃｇｉ等と定める。なお、コントロールユニット１１０のＷｅｂサーバ機能の設定によって、○○．ｃｇｉを省略するような運用も想定される。
【００５２】
ステップＳ６４に続いて、異常通知部１１４は、制御情報記憶部１１１内の異常通知先メールアドレスをメールの送信先として設定し（ステップＳ６５）、ＳＭＴＰに従ってメールを送信し、その送信時刻を記録する（ステップＳ６６）。このステップＳ６６により送信されたメールは、従来のメールサーバにより、利用者の携帯電話機或いはパーソナルコンピュータその他の通信機器から閲覧できるようになる。なお、一般に携帯電話機については、メールの到着を音で利用者に知らせるサービスが行われているため、利用者は即座に異常状態の発生を認識することができるようになる。
【００５３】
ステップＳ６６の後、或いはステップＳ６２において１分以上経過していないと判定した場合には、異常通知部１１４は、先に行われているセンサー状態取得処理においてオン状態にされた該当の異常フラグをリセットつまりオフ状態にし（ステップＳ６７）、異常発生通知処理を終了する。
＜３−４．自グローバルＩＰ取得処理＞
以下、コントロールユニット１１０が行う自グローバルＩＰ取得処理について図８を用いて説明する。
【００５４】
図８は、コントロールユニット１１０が行う自グローバルＩＰ取得処理を示すフローチャートである。なお、同図には、コントロールユニット１１０からのアクセスに応じてなされる外部Ｗｅｂサーバの処理を示すフローチャートも併記している。
コントロールユニット１１０のグローバルＩＰ取得部１１３は、外部Ｗｅｂサーバアドレスを制御情報記憶部１１１から読み出し、その外部Ｗｅｂサーバアドレスに基づいてＵＲＬを形成し（ステップＳ７１）、制御情報記憶部１１１からコントロールユニット情報を読み出して（ステップＳ７２）、その読み出したコントロール情報を予め定められた暗号化アルゴリズムを用いて暗号化し（ステップＳ７３）、ステップＳ７１で形成したＵＲＬを用いて外部Ｗｅｂサーバにアクセスして、暗号化したコントロール情報を送信して、ルーター１２１に割り当てられたグローバルＩＰアドレスの問い合わせを行う（ステップＳ７４）。
また、ステップＳ８３において、問い合わせ元が正当であるか否かは、例えば、この外部Ｗｅｂサーバ
このステップＳ７４に呼応して、外部Ｗｅｂサーバでは受信データを取得し（ステップＳ８１）、受信データ中の暗号化されているコントロール情報の暗号解読を行い、即ち前述の暗号化アルゴリズムに呼応する復号アルゴリズムを用いてコントロール情報を復号し（ステップＳ８２）、そのコントロール情報によって問い合わせ元を確認し（ステップＳ８３）、正当なコントロールユニット１１０からの問い合わせであれば、そのコントロールユニット１１０から送られてきたＩＰパケットのＩＰヘッダで示されるＩＰアドレスを得てこれをグローバルＩＰアドレスとして上述の暗号化アルゴリズムにより暗号化し（ステップＳ８４、Ｓ８５）、コントロールユニット１１０に送信する（ステップＳ８６）。
【００５５】
ステップＳ８３では、例えば、外部Ｗｅｂサーバの利用契約者のみに予め伝達しているユーザＩＤが、コントロール情報内に含まれているか否か、等の方法で正当であるか否かを判定することができる。正当でない場合には、外部Ｗｅｂサーバは、ステップＳ８４〜Ｓ８６の処理を実行しない。
なお、例えば、一般的なＷｅｂサーバ上のＣＧＩプログラムにおいては、ＷｅｂサーバがＣＧＩに提供する環境変数を利用して、問い合わせ元のＩＰアドレスを参照することができる。
【００５６】
コントロールユニット１１０のグローバルＩＰ取得部１１３は、ステップＳ７４の後に、３０秒経過するまで、或いは外部Ｗｅｂサーバからの応答があるまで、待機し（ステップＳ７５、Ｓ７９）、応答があれば応答内容である受信データつまり暗号化されたグローバルＩＰアドレスを取得する（ステップＳ７６）。
ステップＳ７６に続いて、グローバルＩＰ取得部１１３は、暗号解読、即ち暗号化されたグローバルＩＰアドレスを上述の暗号化アルゴリズムに呼応した復号アルゴリズムにより復号してグローバルＩＰアドレスを取得し制御情報記憶部１１１内に記録し（ステップＳ７７、Ｓ７８）、自グローバルＩＰ取得処理を終了する。
【００５７】
また、ステップＳ７９において、ステップＳ７４の実行から３０秒経過したと判定された場合には、グローバルＩＰ取得部１１３は、応答無しエラー処理を行って（ステップＳ８０）、自グローバルＩＰ取得処理を終了する。
なお、応答無しエラー処理の内容としては、例えば、上述の外部Ｗｅｂサーバと同等機能を有する他の特定のＷｅｂサーバにアクセスして、ルーター１２１に割り当てられているグローバルＩＰアドレスの取得を試みる処理、或いはグローバルＩＰアドレス取得に失敗した旨のメッセージを含むメールを制御情報記憶部１１１に格納された異常通知先メールアドレス宛てに送信する処理等を含めることができる。
【００５８】
＜３−５．携帯電話機の操作＞
上述した異常発生通知処理（図７参照）によりメールが送信されると（ステップＳ６６）、ホームセキュリティシステムの利用者はパーソナルコンピュータや携帯電話機等の通信機器によりメールを受信し閲覧する。
ここでは、図９を用いて、携帯電話機を用いた場合の操作例について説明する。
【００５９】
図９は、携帯電話機の画面例を示した図である。
画面例４０１は、携帯電話機のメール閲覧ソフトウェアを介してメール文書を表示させた状態の携帯電話機のディスプレイパネル面つまり画面の例であり、留守中にリビングルームで人の気配が検知された場合を想定した例である。
異常発生通知処理により送信されたメール文書には、画面例４０１に示したような、異常状態の発生が検知された場所と異常状態の内容とを示す文章の他に、コントロールユニット１１０のＷｅｂサーバにアクセスするためのグローバルＩＰアドレス、即ちルーター１２１に割り当てられたグローバルＩＰアドレスを示すＵＲＬが含まれている。
【００６０】
近年の携帯電話機のメール閲覧ソフトウェアには、例えばＵＲＬにカーソルを合わせるだけでブラウザを起動してＵＲＬで示すＷｅｂページにアクセスする機能等、ＵＲＬへのアクセスを容易化する機能を有しているものもあり、これらによれば、利用者は容易にコントロールユニット１１０であるＷｅｂサーバにアクセスすることができるようになる。この他に、利用者は、メール文書中のＵＲＬを見て、携帯電話機のブラウザにＵＲＬを入力する等によってもコントロールユニット１１０であるＷｅｂサーバにアクセスすることができるようになる。
【００６１】
画面例４０２は、コントロールユニット１１０のＷｅｂサーバにアクセスした後に携帯電話機に表示される画面の例である。
この画面例４０２は、コントロールユニット１１０のコマンド対応部１１６の司るＷｅｂサーバ機能と、ＨＴＭＬ文書、或いはＣＧＩプログラムとに基づいて、携帯電話機のブラウザが表示する画面の例である。このＣＧＩプログラム等は、異常発生時に家屋内外の機器の制御を行うことができるように予め作成されているものである。ここでは、リビングルームで人の気配が検知されたという条件に応じて、そのリビングルームにおける照明のオン、オフの制御、リビングルームに設置されたカメラの制御等を可能にするためのユーザインタフェースをＣＧＩプログラム等が出力するものとする。
【００６２】
画面例４０２に示す画面が表示された時点で、利用者は、通常、Ｗｅｂページを操作している場合と同様の操作方法によって、リビングルームの照明をオンにするためのコマンド、その照明をオフにするためのコマンド、カメラで撮像された画像を取得してディスプレイ面に表示するためのコマンド、カメラで撮像された画像を録画するためのコマンドを、画面上に表示された各ボタンの押下に相当する操作により、指定することができる。
【００６３】
なお、利用者が選択した各コマンドは、Ｗｅｂサーバ機能を含むコマンド対応部１１６に伝えられ、コマンド対応部１１６により、後述するコマンド対応処理がなされる。
従って、利用者は携帯電話機の操作によって、留守中の家屋内外に設置された機器を制御して異常状態の発生に対応することが可能となる。
【００６４】
＜３−６．コマンド対応処理＞
以下、コントロールユニット１１０が行うコマンド対応処理について図１０を用いて説明する。
図１０は、コントロールユニット１１０が行うコマンド対応処理を示すフローチャートである。なお、同図には、コントロールユニット１１０からの指示に応じてなされる家屋内外のセンサーユニット又は機器の動作を示すフローチャートも併記している。
【００６５】
コントロールユニット１１０のコマンド対応部１１６は、異常状態発生通知（図６、ステップＳ４５、Ｓ５３）の後において、利用者からコントロールユニット１１０であるＷｅｂサーバにアクセスがあった場合に、例えば上述した画面例４０２に示すようなユーザインタフェースをブラウザに表示させる。例えば、このユーザインタフェースは、ＨＴＭＬにおける＜ＦＯＲＭ＞タグで示される情報として構築され、利用者により指示されたコマンドをＷｅｂサーバのＣＧＩプログラムに対して、送信するように構築されている。
【００６６】
なお、コマンド対応部１１６による、図１０のステップＳ９１〜Ｓ９５の手順は、ＣＧＩプログラムにより特定されるものである。
コマンド対応部１１６は、画面例４０２に示すようなユーザインタフェースとなるホームページ（ＨＰ）つまりＷｅｂページに対する利用者の操作を受けて携帯電話機２２０等のブラウザによって送信されるコマンドを取得する（ステップＳ９１）。
【００６７】
なお、図６で示したように、コントロールユニット１１０が常時接続でもフレッツ接続でもない定額制でないダイヤルアップ接続サービスを利用する場合には、ステップＳ５３の異常発生通知後、３分間経過するまでに、利用者がコントロールユニット１１０であるＷｅｂサーバにおけるＷｅｂページにアクセスしなければ、電話回線は切断されるため（ステップＳ５５）、図１０に示すステップＳ９１〜Ｓ９５の処理は実行されない。
【００６８】
続いて、コマンド対応部１１６は、コマンドの内容に応じて機器の制御に必要なセンサーユニットのＩＰアドレスを設定して（ステップＳ９２）、ＬＡＮを介してそのセンサーユニットにコマンドを送出する（ステップＳ９３）。例えば、ステップＳ９１においてリビングルームの照明をオンにするためのコマンドを取得した場合には、リビングルームに設置された赤外線リモコン信号を発信する機能を有するセンサーユニットに、特定のフォーマットに整形してコマンドつまり制御用の信号を送出する。
【００６９】
コマンドの送出（ステップＳ９３）に呼応して、センサーユニット又はカメラ等の機器は、コマンドを解析し（ステップＳ１０１）、コマンドに応じて機器を制御し（ステップＳ１０２）、センサー状態と機器制御結果を示すステータス情報とを含めた応答データを生成してコマンド送出元に送信する（ステップＳ１０３、Ｓ１０４）。なお、ステップＳ１０２においては、例えばコマンドに応じた赤外線リモコン信号を発信することによって機器を制御する。また、応答データにおけるステータス情報としては、例えばカメラ等に対して、録画コマンドが与えられた場合に、カメラが正常に録画を開始することができたか否か等を示す情報が設定されるものであり、コマンドを受けた機器によってそのステータス情報の内容は異なり、特にステータス情報を設定しない機器があってもよい。
【００７０】
ステップＳ９３の後に、コマンド対応部１１６は、センサーユニット又はカメラ等の機器からセンサー状態等を示す応答データを得て（ステップＳ９４）、応答データをＷｅｂページの内容とするためのＨＴＭＬスクリプトを出力する（ステップＳ９５）。
これにより、コントロールユニット１１０であるＷｅｂサーバにアクセスしている携帯電話機２２０等のブラウザによって、応答データつまりセンサー状態等が画面に表示されることになる。
＜４．考察＞
以上説明したホームセキュリティシステム１０によれば、このシステムの利用者は、自宅を留守にしている間に自宅内又は周辺において異常状態が発生すると、外出先においてメールによってその異常状態の発生の通知を受けることができる。更に、利用者は、メール文書中に含まれるＵＲＬで示されるＷｅｂページをブラウザに表示させ、通常利用して親しんでいるブラウザの操作により、そのＷｅｂページを介して、異常状態に対処するために自宅内外の機器を制御するできるようになる。
【００７１】
また、このホームセキュリティシステム１０によれば、常時接続やフレッツ接続でないダイヤルアップ接続を選択した場合において、異常状態の発生が検出されても無制限に電話回線を接続し続けるようなことがないため、セキュリティ確保に要するコストつまり電話代を抑えることができる。
＜５．補足＞
以上、本発明に係るホームセキュリティシステムについて実施の形態に基づいて説明したが、このホームセキュリティシステムを部分的に変形することもでき、本発明は上述の実施の形態に限られないことは勿論である。即ち、
（１）コントロールユニット１１０は、専用のハードウェアであってもよいし、パーソナルコンピュータであってもよく、コントロールユニット１１０内の各機能の機能分割は、必ずしも図２に示した通りである必要はない。
（２）予めコントロールユニット１１０内にパスワードを設定可能としておき、コマンド対応処理（図１０参照）においては、ステップＳ９１のコマンド取得の前に、利用者にパスワードを入力させるための画面をブラウザに表示させるＨＴＭＬスクリプトを出力し、利用者から入力されたパスワードを取得して、それが予め設定されているパスワードと一致する場合に限りステップＳ９１〜Ｓ９５の処理を実行するようにしてもよい。
（３）上述したセンサー状態取得処理は、必ずしも図５に示す手順に限られることはなく、センサーユニット、カメラ等の個数や内容に応じて制御用のプログラムを変更することにより、処理手順等を変更して運用してもよい。
（４）上述の実施の形態においては、カメラに画像変化を検出する処理機能を持たせた例を示したが、これに限定されることはなく、カメラは撮像した画像をコントロールユニット１１０に逐次転送する機能を有することにして、コントロールユニット１１０において逐次転送された画像相互を比較して差異があるか否かを判定すること等により画像変化を検出することとしてもよい。
（５）常時接続又はフレッツ接続の場合には、コントロールユニット１１０であるＷｅｂサーバには外部からいつでもアクセス可能であるため、Ｗｅｂサーバに機器制御用のＣＧＩプログラムを含ませておくことにより、いつでも利用者は外出先から家屋内外のエアコンその他の機器を制御することができるようになる。
【００７２】
また、定額制でないダイヤルアップ接続の場合には、上述の実施の形態では、異常状態の発生が検出されたときに電話回線を接続しコントロールユニットにアクセスするためのグローバルＩＰアドレスを内容に含めたメール文書を利用者のメールアドレスに送信することとしたが、電話回線の接続を、異常状態の発生が検出されたときの他、予め定められた日時或いは周期で、予め定めた時間だけ行い、そのときに割り当てられたコントロールユニットにアクセスするためのグローバルＩＰアドレスを内容に含めたメール文書を利用者のメールアドレスに送信することとしてもよい。これにより、異常状態が発生していない場合においても利用者は外出先からそのグローバルＩＰアドレスで特定されるルーターにＬＡＮ接続されているコントロールユニットにアクセスして家屋内外の機器を制御することができるようになる。ここで、予め定められた日時或いは周期の他に、外部から電話の着信があったことやその電話により特定のデータを受信したこと等を契機として、コントロールユニットが電話回線の接続（ステップＳ５１参照）を行うこととしてもよい。
【００７３】
なお、回線接続の方式が定まっている場合には、常時接続かフレッツ接続かその他の接続かを判定する処理（ステップＳ４１、Ｓ４７）を省略して、その定まっている接続の方式に関連する部分的処理のみを行うこととしてもよい。従って、例えば、定額制でないダイアルアップ接続専用のコントロールユニットを構築することもできる。
（６）上述の実施の形態では３分間だけ電話回線を接続することとしたが（ステップＳ５４）、３分に限られることはなく、その時間を予め利用者がコントロールユニット１１０に対して設定することができるようにしてもよい。この場合、設定された時間をコントロールユニット１１０は記憶し、留守モード処理（図６参照）のステップＳ５４における３分間の代わりにその時間を用いることになる。
【００７４】
更に、時間制限を設けて電話回線を切断することの代わりに、異常状態の発生を通知するメール文書の送信後において、コントロールユニット１１０であるＷｅｂサーバのＣＧＩプログラムに対して、利用者がブラウザを通じて回線切断コマンドを伝えることができるようにしておき、回線切断コマンドを受けるとＣＧＩプログラムがコントロールユニットに電話回線切断の処理を行わせることとしてもよい。なお、このような利用者による回線切断コマンドの指定に応じてコントロールユニット１１０が電話回線切断の処理を行う方式と、一定時間経過後にコントロールユニット１１０が電話回線切断の処理を行う方式とを併用することもできる。
（７）上述の実施の形態においては、センサーユニットを通じての赤外線リモコン信号の発信によって、照明、家電等の各種機器を制御する例を示したが、各種機器の制御の方法はこれに限定されることはない。例えば、コントロールユニット１１０と制御対象の機器とをＩＥＥＥ１３９４その他のインタフェースで接続し、そのインタフェースを介して制御対象の機器にコマンドを送ることによりその機器を制御することとしてもよい。また、エアコン等は日本電機工業会によるＪＥＭ−Ａ（ＨＡ端子）規格に従った端子を有するものとし、ＨＡ端子を通じてコントロールユニットから制御することとしてもよい。
（８）コントロール情報の暗号化（図８、ステップＳ７３）とグローバルＩＰアドレスの暗号化（ステップＳ８５）とのそれぞれに用いる暗号化アルゴリズムは、互いに異なるものであっても差し支えない。但し、各データの暗号化側と復号側とで呼応するアルゴリズムを用いる必要がある。
（９）異常発生通知処理として利用者のメールアドレス宛てにメール送信を行うこととしたが（図７参照）、コントロールユニット１１０に対して複数のメールアドレスを予め設定している場合には、その複数のメールアドレスにメール送信を行うこととしてもよい。また、予めコントロールユニット内に音声メッセージを記憶させておき、異常状態の発生時にメール送信のみならず、警備会社、消防署、警察署、近隣の家等の所定の連絡先に電話をかけてその音声メッセージを送ることとしてもよく、また、音声メッセージの内容は異常発生フラグ（図３参照）の種別毎に異ならせてもよい。
（１０）呼出ボタンが押された場合にこれを異常状態の発生として検出し呼出ボタンＯＮフラグをオン状態にすることとしたが、このように必ずしも一般に異常と呼ばれる状態に限らず、センサー等により一定の状態の発生が検出された場合に、異常発生通知処理（図７参照）は行われる。例えば、コントロールユニットが、カメラ付きインターフォンに付された呼出ボタンが押下されたことを検出して、呼出ボタンが押下された旨をコントロールユニット内のＣＧＩプログラムへアクセスするためのＵＲＬとともにメール文書に含めてメール送信を行うこととしてもよく、このＣＧＩプログラムは、利用者が携帯電話機等で受信したメール文書中のＵＲＬで示されるこのＣＧＩプログラムにアクセスして、インターフォンのカメラで撮像された画像やインターフォンで受けられた音声を取得するためのコマンドや、ドアの鍵の開閉を行うコマンド等を選択することができるように、構成されていてもよい。
（１１）上述したコントロールユニット１１０のＷｅｂサーバ配下で動作するＣＧＩプログラム等はＨＴＭＬスクリプトを出力することとしたが、ブラウザ向けのものであれば必ずしもＨＴＭＬに限られることはなく、拡張可能なマーク付け言語（ＸＭＬ）の構文を用いた拡張可能なＨＴＭＬ（ＸＨＴＭＬ）等のスクリプトを出力することとしてもよい。
（１２）上述の実施の形態ではルーター１２１にグローバルＩＰアドレスが割り当てられる例を示したが、コントロールユニット自体にグローバルＩＰアドレスが割り当てられるようにしてもよく、この場合には、自グローバルＩＰ取得処理（図８参照）の代わりに、コントロールユニットが割り当てを受けて記憶するグローバルＩＰアドレスを直接参照する処理を行うようにしてもよい。
【００７５】
また、ルーターとして、グローバルＩＰアドレスを通知する機能を有するルーターを用いる場合においては、コントロールユニットは、上述の実施の形態で示した自グローバルＩＰ取得処理（図８参照）の代わりに、ＩＳＰがルーターに割り当てたグローバルＩＰアドレスをルーターから直接的に取得する処理を行うようにしてもよい。
（１３）コントロールユニット１１０の各機能を実現させるための各処理（図４〜図８、図１０参照）をコンピュータに実行させるためのプログラムを、記録媒体に記録し又は各種通信路等を介して、流通させ頒布することもできる。このような記録媒体には、ＩＣカード、光ディスク、フレキシブルディスク、ＲＯＭ等がある。流通、頒布されたプログラムはコンピュータで読み取り可能なメモリ等に格納されることにより利用に供され、コンピュータはそのプログラムを実行して本実施の形態で示したコントロールユニットとしての各機能を実現する。
【００７６】
【発明の効果】
以上の説明から明らかなように、本発明に係るホームセキュリティシステムは、センサーを含む複数の機器と、各機器にローカルエリアネットワークで接続された制御装置とを含むホームセキュリティシステムであって、前記制御装置は、所定のメールアドレスを記憶しているアドレス記憶手段と、センサーを用いて異常状態の発生を検出する異常検出手段と、前記異常検出手段により異常状態の発生が検出された場合に、前記制御装置に割り当てられたグローバルＩＰアドレスの記述を含むメール文書を、前記メールアドレス宛に送信する異常通知手段と、前記グローバルＩＰアドレスに基づいて当該制御装置にアクセスがなされた場合に、前記機器の制御用のユーザインタフェース画面を表示するためのＨＴＭＬスクリプトを、アクセス元に送信し、アクセス元から機器制御のための指示を受け付けるユーザインタフェース手段と、機器制御のための前記指示が受け付けられた場合に、当該指示に従って前記機器のいずれかに制御用の信号を伝達する機器制御手段とを備えることを特徴とする。
【００７７】
これにより、異常状態の発生が検出された場合に、制御装置（例えば、コントロールユニット及びルーターで構成される装置、或いはコントロールユニット単体等）へインターネットを通じてアクセスするために必要なグローバルＩＰアドレスの記述が含められたメール文書が送信され、利用者の携帯電話機等において受信可能となり、利用者はそのグローバルＩＰアドレスを含むＵＲＬの記述等に基づいて、携帯電話機等のブラウザを介して容易に制御装置内のＣＧＩプログラム等にアクセスし、制御装置とローカルエリアネットワークで接続された各種機器の遠隔制御を行うことができるようになる。
【００７８】
なお、携帯電話機には、受信したメール中のＵＲＬにカーソルを合わせるだけでそのＵＲＬで示されるＷｅｂページにブラウザでアクセスする機能を搭載したもののあり、ユーザは、容易に制御用のユーザインタフェース画面にアクセスすることができる。また、利用者は通常インターネットを利用する際に慣れ親しんでいる携帯電話機やパーソナルコンピュータにおけるブラウザの操作法に従って、そのユーザインタフェース画面であるＷｅｂページを操作することによって、容易に自宅内外の機器を制御することができるようになる。また、このホームセキュリティシステムにおいては、一般的なブラウザで閲覧し操作できるようにユーザインタフェース画面をＨＴＭＬスクリプトで形成するＷｅｂページとしているところ、近年、Ｗｅｂページ作成用の各種ツールが流通・販売されておりこれらのツールを利用すれば、利用者の家屋内外の機器の設置状況に合わせてユーザインタフェース画面を比較的容易に作成又は変更することができるようになる。
【００７９】
また、前記異常通知手段は、異常状態の発生が検出された場合に、インターネット接続サービスプロバイダのアクセスポイントに回線接続してダイヤルアップ接続サービスを受け、ダイヤルアップ接続サービスによって当該制御装置に割り当てられたグローバルＩＰアドレスの記述を前記メール文書に含め、前記制御装置は更に、前記異常通知手段によるメール文書の送信の時から所定時間経過後に回線切断する切断手段を備えることとしてもよい。
【００８０】
これにより、制御装置に固定的にグローバルＩＰアドレスが割り当てられていなくても、ダイヤルアップ接続している間においてメール文書を受けた者はメール文書内容に基づいてインターネットを経由して制御装置にアクセスすることができるようになるため、制御装置とＬＡＮで接続された家屋内外の機器を外出先から制御可能になる。また、制御装置はダイヤルアップ接続を永続的に続けるのではなく、例えば３分間等、所定時間経過に回線切断するため、定額制でない場合でも電話回線使用料を抑えることができる。
【００８１】
また、前記制御切断手段は、更に待機時間の指定を受け付けて保持する待機時間保持手段を備え、前記切断手段は、保持している待機時間を前記所定時間と扱い、メール文書の送信の時から当該待機時間の経過後に回線切断を行うこととしてもよい。
これにより、利用者が電話回線使用料を考慮してホームセキュリティシステムによる電話回線使用時間をある程度制限することができるようになる。
【００８２】
また、前記制御装置は更に、利用者によって予め指定された時刻が到来すると、インターネット接続サービスプロバイダのアクセスポイントに回線接続を行ってダイヤルアップ接続サービスを受け、ダイヤルアップ接続サービスによって当該制御装置に割り当てられたグローバルＩＰアドレスの記述を含むメール文書を、前記メールアドレス宛に送信する通知手段を備えることとしてもよい。
【００８３】
これにより、必要時にのみ電話回線接続を行ってダイヤルアップ接続をする制御装置によっても、利用者が、メールを受けた時点での行動予定等に応じて、外出先から家屋内外の機器を操作できるようになる。
また、前記ユーザインタフェース手段は、アクセス元から受け取った機器制御のための指示を示すデータを、所定のＣＧＩプログラムに引き渡し、前記機器制御手段は、前記ＣＧＩプログラムの実行により、前記指示を示すデータに応じて前記機器のいずれかに制御用の信号の伝達を行うこととしてもよい。
【００８４】
これにより、外部からの利用者による指示に応じて家屋内外の機器の制御を行うためのプログラムが簡明なものとなる。
また、前記ユーザインタフェース手段は更に、前記アクセス元から回線切断の指示がなされた場合には当該回線切断の指示を受け付け、前記切断手段は更に、前記回線切断の指示が受け付けられた場合にも回線切断を行うこととしてもよい。
【００８５】
これにより、無駄に電話回線使用料がかかることを防止できるようになる。
また、前記異常通知手段は、前記回線接続の後、ダイヤルアップ接続サービスによって当該制御装置に割り当てられたグローバルＩＰアドレスを、インターネットに接続された外部のウェブサーバ装置に照会して取得し、取得したグローバルＩＰアドレスの記述を前記メール文書に含めることとしてもよい。
【００８６】
これにより、制御装置に割り当てられたグローバルＩＰアドレスを簡易に取得することができるようになる。
このように、本発明に係るホームセキュリティシステムは、操作性に優れ、運用コストを抑える効果を有するものであり、各家屋に係るセキュリティ確保のために非常に有用である。
【図面の簡単な説明】
【図１】本発明の実施の形態に係るホームセキュリティシステム１０の構成図である。
【図２】コントロールユニット１１０の機能構成図である。
【図３】制御情報記憶部１１１に格納される主要な情報を示す図である。
【図４】コントロールユニット１１０の基本的動作を示すフローチャートである。
【図５】コントロールユニット１１０が行うセンサー状態取得処理を示すフローチャートである。
【図６】コントロールユニット１１０が行う留守モード処理を示すフローチャートである。
【図７】コントロールユニット１１０が行う異常発生通知処理を示すフローチャートである。
【図８】コントロールユニット１１０が行う自グローバルＩＰ取得処理を示すフローチャートである。
【図９】携帯電話機の画面例を示した図である。
【図１０】コントロールユニット１１０が行うコマンド対応処理を示すフローチャートである。
【符号の説明】
１０　　　　　ホームセキュリティシステム
１００　　　　　ホームシステム
１１０　　　　　コントロールユニット
１１１　　　　　制御情報記憶部
１１２　　　　　入出力部
１１３　　　　　グローバルＩＰ取得部
１１４　　　　　異常通知部
１１５　　　　　機器制御部
１１６　　　　　コマンド対応部
１２１　　　　　ルーター
１２２　　　　　モデム
１３１、１３２　センサーユニット
１３５　　　　　リモコン操作端末
１３８、１３９　カメラ
１４０　　　　　家電機器
２００　　　　　インターネット
２１０　　　　　外部端末
２２０　　　　　携帯電話機
【図１】
2004128821.tif 000003
【図２】
2004128821.tif 000004
【図３】
2004128821.tif 000005
【図４】
2004128821.tif 000006
【図５】
2004128821.tif 000007
【図６】
2004128821.tif 000008
【図７】
2004128821.tif 000009
【図８】
2004128821.tif 000010
【図９】
2004128821.tif 000011
【図１０】
2004128821.tif 000012